(57)【特許請求の範囲】
【請求項１】
野菜室として使用可能な第１貯蔵室と、前記第１貯蔵室の上方に設けられた第２貯蔵室とを有した筐体と、
前記第１貯蔵室内に収容された少なくとも１つの第１容器と、
前記第２貯蔵室に収容された第２容器と、
前記少なくとも１つの第１容器のうち最上段の第１容器の少なくとも一部の上辺よりも上方に配置され、前記第１貯蔵室内にウイルスまたは菌を抑制する効果を有する光を照射する光照射部と、
前記光照射部を収容するケースと、
前記ケースの上方に位置し、前記第１貯蔵室と前記第２貯蔵室との間を仕切る壁部と、
を備え、
前記第２容器の後端部は、後ろ上がりに傾斜した傾斜部を有し、
前記壁部は、鉛直方向で前記傾斜部と重なる位置で、後ろ上がりに傾斜しており、
前記ケースは、前記鉛直方向で前記傾斜部と重なる位置で、前記壁部に沿って後ろ上がりに傾斜して配置されている、
冷蔵庫。
【請求項２】
前記光照射部は、前記冷蔵庫の前後方向で前記最上段の第１容器よりも後方に配置され、水平方向に対して斜め下方に向けて前記光を照射する、
請求項１に記載の冷蔵庫。
【請求項３】
前記光照射部は、前記水平方向に対して４５度よりも小さい角度の方向に前記光の照射中心が向くように前記水平方向に対して傾けて設けられている、
請求項２に記載の冷蔵庫。
【請求項４】
前記光照射部による前記光の照射中心は、前記最上段の第１容器が前記第１貯蔵室に収容された状態で、前記冷蔵庫の前後方向における前記最上段の第１容器の底面の中心よりも前側に設定されている、
請求項２または請求項３に記載の冷蔵庫。
【請求項５】
前記筐体は、前記第１貯蔵室と前記第２貯蔵室との間に位置した仕切部とを有し、
前記光照射部の少なくとも一部は、前記仕切部の最下部よりも上方に配置されている、
請求項１から請求項４のうちいずれか１項に記載の冷蔵庫。
【請求項６】
前記光照射部は、当該光照射部の少なくとも一部が前記仕切部の最下部よりも上方に配置された状態で、水平方向に対して斜め下方に向けて前記光を照射する、
請求項５に記載の冷蔵庫。
【請求項７】
前記ケースの少なくとも一部は、前記鉛直方向で前記傾斜部と重なる位置に配置され、前記仕切部の最下部よりも上方に配置されている、
請求項５または請求項６に記載の冷蔵庫。
【発明の詳細な説明】
【技術分野】
【０００１】
本発明の実施形態は、冷蔵庫に関する。
【背景技術】
【０００２】
チルド室に紫外線光源を備えた冷蔵庫が提案されている。冷蔵庫は、さらなる除菌機能の向上が期待されている。
【先行技術文献】
【特許文献】
【０００３】
【特許文献１】特開２０２０−１１２２９５号公報
【発明の概要】
【発明が解決しようとする課題】
【０００４】
本発明が解決しようとする課題は、ウイルスまたは菌の抑制機能の向上を図ることができる冷蔵庫を提供することである。
【課題を解決するための手段】
【０００５】
実施形態の冷蔵庫は、筐体と、少なくとも１つの第１容器と、第２容器と、光照射部と、ケースと、壁部とを持つ。前記筐体は、野菜室として使用可能な第１貯蔵室と、前記第１貯蔵室の上方に設けられた第２貯蔵室とを有する。前記少なくとも１つの第１容器は、前記第１貯蔵室内に収容される。前記第２容器は、前記第２貯蔵室に収容される。前記光照射部は、前記少なくとも１つの第１容器のうち最上段の第１容器の少なくとも一部の上辺よりも上方に配置され、前記第１貯蔵室内にウイルスまたは菌を抑制する効果を有する光を照射する。前記ケースは、前記光照射部を収容する。前記壁部は、前記ケースの上方に位置し、前記第１貯蔵室と前記第２貯蔵室との間を仕切る。前記第２容器の後端部は、後ろ上がりに傾斜した傾斜部を有する。前記壁部は、鉛直方向で前記傾斜部と重なる位置で、後ろ上がりに傾斜している。前記ケースは、前記鉛直方向で前記傾斜部と重なる位置で、前記壁部に沿って後ろ上がりに傾斜して配置されている。
【図面の簡単な説明】
【０００６】
【図１】第１実施形態の冷蔵庫を示す正面図。
【図２】図１中に示された冷蔵庫のＦ２−Ｆ２線に沿う断面図。
【図３】図１中に示された冷蔵庫のＦ３−Ｆ３線に沿う斜視断面図。
【図４】第１実施形態の冷蔵用ダクト部品の一部を示す斜視図。
【図５】図２中に示された冷蔵庫のＦ５線で囲まれた領域を示す断面図。
【図６】図５中に示された冷蔵庫のＦ６線で囲まれた領域を示す断面図。
【図７】第１実施形態の光照射部による紫外線の照射中心を示す断面図。
【図８】図６中に示された光照射ユニットの矢印Ｆ８の方向から見た平面図。
【図９】第１実施形態の光照射ユニットを一部分解して示す断面図。
【図１０】第１実施形態の紫外線の限定後の照射範囲を示す断面図。
【図１１】第１実施形態の第１変形例の冷蔵庫を示す断面図。
【図１２】第１実施形態の第２変形例の冷蔵庫を示す断面図。
【図１３】第１実施形態の第３変形例の冷蔵庫を示す断面図。
【図１４】第１実施形態の第４変形例の冷蔵庫を示す断面図。
【図１５】第２実施形態の冷蔵庫を示す断面図。
【図１６】第２実施形態の第１変形例の冷蔵庫を示す断面図。
【図１７】第２実施形態の第２変形例の冷蔵庫を示す断面図。
【図１８】第３実施形態の冷蔵庫を示す断面図。
【図１９】図１８中に示された冷蔵庫のＦ１９−Ｆ１９線に沿う断面図。
【図２０】第３実施形態の変形例の冷蔵庫を示す断面図。
【発明を実施するための形態】
【０００７】
以下、実施形態の冷蔵庫を、図面を参照して説明する。以下の説明では、同一または類似の機能を有する構成に同一の符号を付す。そして、それら構成の重複する説明は省略する場合がある。本明細書では、冷蔵庫の正面に立つユーザから冷蔵庫を見た方向を基準に、左右を定義している。また、冷蔵庫から見て冷蔵庫の正面に立つユーザに近い側を「前」、遠い側を「後ろ」と定義している。「冷蔵庫の左右方向」とは「冷蔵庫の幅方向」と同じ意味である。「冷蔵庫の前後方向」とは「冷蔵庫の奥行方向」と同じ意味である。
【０００８】
本明細書で「除菌」とは、説明の便宜上の呼称であり、ウイルスまたは菌の抑制（例えば、ウイルスの感染性の低下や不活化、菌の増殖抑制）を意味する広い意味の用語として用いている。すなわち、本明細書で「除菌」とは、菌を除去する（減らす）ことに限定されず、菌が増えることを抑制すること、および／または、菌以外のウイルスなどの広まりを抑制することの意味で用いている。「ウイルスなどの広まりを抑制する」とは、冷蔵庫内でウイルスが広まることを抑制することに限定されず、ウイルスの感染性が弱まり、そのウイルスが冷蔵庫の外部に出た後に広まることを抑制する場合も該当し得る。
【０００９】
（第１実施形態）
［１．冷蔵庫の全体構成］
図１から図１０を参照し、第１実施形態の冷蔵庫１について説明する。まず、冷蔵庫１の全体構成について説明する。
【００１０】
図１は、冷蔵庫１を示す正面図である。冷蔵庫１は、例えば、筐体１０と、複数の扉２０とを備えている。
【００１１】
筐体１０は、上壁１０ａ、下壁１０ｂ、左右の側壁１０ｃ，１０ｄ、および後壁１０ｅ（図２参照）を有する。上壁１０ａおよび下壁１０ｂは、水平方向に広がる。左右の側壁１０ｃ，１０ｄは、下壁１０ｂの左右の端部から上方に起立し、上壁１０ａの左右の端部に繋がっている。左側壁１０ｃは、後述する野菜室１１Ｂに露出して野菜室１１Ｂの左側面を形成する左側壁部Ｓ１を含む。右側壁１０ｄは、野菜室１１Ｂに露出して野菜室１１Ｂの右側面を形成する右側壁部Ｓ２を含む。後壁１０ｅは、下壁１０ｂの後端部から上方に起立し、上壁１０ａの後端部に繋がっている。筐体１０は、筐体１０の内面を形成する内箱１０ｉと、内箱１０ｉの外側に位置して筐体１０の外面を形成する外箱１０ｊと、内箱１０ｉと外箱１０ｊとの間に設けられた発泡ウレタンのような発泡断熱材１０ｋとを含み（図２参照）、断熱性を有する。
【００１２】
筐体１０の内部には、複数の貯蔵室１１が設けられている。複数の貯蔵室１１は、例えば、冷蔵室１１Ａ、チルド室１１Ａａ、野菜室１１Ｂ、製氷室１１Ｃ、小冷凍室１１Ｄ、および主冷凍室１１Ｅを含む。冷蔵室１１Ａは、例えば、約２℃〜６℃である冷蔵温度帯に冷却される。チルド室１１Ａａは、例えば、約−１℃〜＋１℃であるチルド温度帯に冷却される。野菜室１１Ｂは、例えば、約３℃〜７℃である野菜室温度帯に冷却される。製氷室１１Ｃ、小冷凍室１１Ｄ、および主冷凍室１１Ｅは、例えば、約−２０℃〜−１８℃である冷凍温度帯に冷却される。
【００１３】
本実施形態では、最上部に冷蔵室１１Ａが配置され、冷蔵室１１Ａの下方に野菜室１１Ｂが配置され、野菜室１１Ｂの下方に製氷室１１Ｃおよび小冷凍室１１Ｄが配置され、製氷室１１Ｃおよび小冷凍室１１Ｄの下方に主冷凍室１１Ｅが配置されている。ただし、貯蔵室１１の配置は、上記例に限定されない。筐体１０は、各貯蔵室１１の前面側に、各貯蔵室１１に対して食材の出し入れを可能にする開口を有する。
【００１４】
野菜室１１Ｂは、「野菜室として使用可能な貯蔵室」の一例であり、「第１貯蔵室」の一例である。本明細書で「野菜室として使用可能な貯蔵室」とは、野菜室専用として設けられた貯蔵室１１に限定されず、複数の用途（例えば、冷蔵室、冷凍室、または野菜室）に応じて温度帯が切り替え可能な切り替え室であって、少なくとも野菜室の温度帯に切り替え可能な貯蔵室１１でもよい。「野菜室」とは、冷蔵室よりも温度帯が高い貯蔵室である。
【００１５】
チルド室１１Ａａは、冷蔵室１１Ａの下部の一画に設けられている。チルド室１１Ａａは、「特別貯蔵室」の一例であり、「第２貯蔵室」の一例である。本明細書で「特別貯蔵室」とは、冷蔵室よりも温度帯が低く、冷凍室よりも温度帯が高い貯蔵室である。「特別貯蔵室」は、チルド室１１Ａａに限定されず、パーシャル温度帯（約−４℃〜−２℃）に冷却されるパーシャル室などでもよい。このため、以下の説明における「チルド室１１Ａａ」は、「特別貯蔵室」または「パーシャル室」と読み替えられてもよい。
【００１６】
筐体１０は、第１および第２の仕切部１５，１６を有する（図２参照）。第１および第２の仕切部１５，１６は、例えば、それぞれ略水平方向に沿う仕切壁である。第１仕切部１５は、冷蔵室１１Ａおよびチルド室１１Ａａと、野菜室１１Ｂとの間に位置し、冷蔵室１１Ａおよびチルド室１１Ａａと、野菜室１１Ｂとの間を仕切っている。例えば、第１仕切部１５は、断熱性を有しない仕切壁である。第１仕切部１５は、筐体１０と一体に設けられていてもよく、筐体１０とは別体に設けられて筐体１０内に取り付けられていてもよい。第１仕切部１５は、冷蔵室１１Ａまたはチルド室１１Ａａを通った冷気を野菜室１１Ｂに導く通気孔を有する。一方で、第２仕切部１６は、野菜室１１Ｂと、製氷室１１Ｃおよび小冷凍室１１Ｄとの間に位置し、野菜室１１Ｂと、製氷室１１Ｃおよび小冷凍室１１Ｄとの間を仕切っている。第２仕切部１６は、例えば筐体１０と一体に設けられ、断熱性を有する。
【００１７】
複数の貯蔵室１１は、複数の扉２０によって開閉可能に閉じられる。複数の扉２０は、例えば、冷蔵室１１Ａの開口を閉じる左右の冷蔵室扉２０Ａａ，２０Ａｂ、野菜室１１Ｂの開口を閉じる野菜室扉２０Ｂ、製氷室１１Ｃの開口を閉じる製氷室扉２０Ｃ、小冷凍室１１Ｄの開口を閉じる小冷凍室扉２０Ｄ、および主冷凍室１１Ｅの開口を閉じる主冷凍室扉２０Ｅを含む。左右の冷蔵室扉２０Ａａ，２０Ａｂは、例えばフレンチ扉（観音開き扉）を構成する。野菜室扉２０Ｂ、製氷室扉２０Ｃ、小冷凍室扉２０Ｄ、および主冷凍室扉２０Ｅの各々は、冷蔵庫１の前側に引き出し可能な引出扉である。
【００１８】
ここでは、野菜室扉２０Ｂについて詳しく説明する。野菜室扉２０Ｂは、例えば、扉本体２１と、レール部材２２とを含む。扉本体２１は、筐体１０の外部に位置し、冷蔵庫１の前側から野菜室１１Ｂの開口に向かい合う。扉本体２１は、野菜室１１Ｂの開口よりも大きな外形を有し、野菜室１１Ｂの開口を開閉可能に閉じる。扉本体２１の上端部には、野菜室扉２０Ｂを開くときにユーザが手を掛ける取手が設けられている。レール部材２２は、扉本体２１の内面（後面）に取り付けられ、扉本体２１から後方に延びている。レール部材２２は、筐体１０の左側壁部Ｓ１および右側壁部Ｓ２に設けられたレール受け部によって支持されている。これにより、野菜室扉２０Ｂは、筐体１０に対して冷蔵庫１の前後方向にスライド移動可能である。
【００１９】
図２は、図１中に示された冷蔵庫１のＦ２−Ｆ２線に沿う断面図である。冷蔵庫１は、例えば、複数の棚３０、複数の容器４０、流路形成部品５０、冷却ユニット６０、光照射ユニット７０、および制御装置８０を備えている。複数の棚３０は、冷蔵室１１Ａに配置されている。
【００２０】
複数の容器４０は、チルド室１１Ａａに収容された第１および第２のチルド室容器４１，４２、野菜室１１Ｂに収容された第１および第２の野菜室容器４３，４４、製氷室１１Ｃに収容された製氷室容器（不図示）、小冷凍室１１Ｄに収容された小冷凍室容器４６、および主冷凍室１１Ｅに収容された第１および第２の主冷凍室容器４７，４８を含む。
【００２１】
ここではまず、第１および第２のチルド室容器４１，４２について説明する。第１チルド室容器４１は、２段式のチルド室容器４１，４２のうち下側に位置する容器である。第２チルド室容器４２は、２段式のチルド室容器４１，４２のうち上側に位置する容器である。第２チルド室容器４２は、第１チルド室容器４１の上方に位置する。第１および第２のチルド室容器４１，４２は、それぞれ独立して前方に引き出し可能である。なお、チルド室１１Ａａに配置されるチルド室容器は、１つだけでもよい。
【００２２】
次に、第１および第２の野菜室容器４３，４４について説明する。第１野菜室容器４３は、２段式の野菜室容器４３，４４のうち下側に位置する容器である。第１野菜室容器４３は、野菜室扉２０Ｂによって支持され、野菜室扉２０Ｂと一体に冷蔵庫１の前側に引き出し可能である。第１野菜室容器４３の前端部４３ａは、野菜室扉２０Ｂの扉本体２１の近くに位置する。第１野菜室容器４３の内部には、仕切り４３ｐが設けられている。第１野菜室容器４３の前端部４２ａと仕切り４３ｐとの間には、ペットボトルを立てて収容可能な収容領域ＣＲが形成されている。収容領域ＣＲは、第１野菜室容器４３の内部おいて第１野菜室容器４３の前端部４３ａに隣接する収容領域である。一方で、第１野菜室容器４３の後端部４３ｂは、第１野菜室容器４３が野菜室１１Ｂに収容された状態で、筐体１０の後壁１０ｅの近くに位置する。第１野菜室容器４３は、「第１容器」の一例である。
【００２３】
第２野菜室容器４４は、２段式の野菜室容器４３，４４のうち上側に位置する容器である。第２野菜室容器４４は、第１野菜室容器４３の上方に配置されている。冷蔵庫１の前後方向における第２野菜室容器４４の寸法は、同方向における第１野菜室容器４３の寸法よりも小さい。第２野菜室容器４４の前端部４４ａは、第１野菜室容器４３の仕切り４３ｐの直上に位置するか、または仕切り４３ｐよりも後側に位置する。すなわち、第２野菜室容器４４の前端部４４ａは、第１野菜室容器４３の前端部４３ａと比べて後側に位置する。第２野菜室容器４４の前端部４４ａには、第２野菜室容器４４を前側に引き出すときにユーザが手を掛ける取手Ｈが設けられている。第２野菜室容器４４の後端部４４ｂは、第１野菜室容器４３の後端部４３ｂと比べて前側に位置する。第２野菜室容器４４は、「第２容器」の一例である。
【００２４】
本実施形態では、第２野菜室容器４４は、「ある貯蔵室（野菜室１１Ｂ）に収容された少なくとも１つの容器のうち最上段に位置した容器」の一例である。ただし、野菜室１１Ｂに配置される野菜室容器は、１つでもよい。この場合、野菜室１１Ｂに配置された当該１つの野菜室容器が「ある貯蔵室（野菜室１１Ｂ）に収容された少なくとも１つの容器のうち最上段に位置した容器」の一例に該当する。
【００２５】
流路形成部品５０は、冷蔵用ダクト部品５１と、冷凍用ダクト部品５２とを含む。冷蔵用ダクト部品５１は、筐体１０内に設けられ、後壁１０ｅに沿って鉛直方向に延びている。冷蔵用ダクト部品５１は、筐体１０の後壁１０ｅの近くに、冷気（空気）が流れる通路であるダクト空間Ｄ１を形成している。本明細書で「ダクト部品」とは、筒状の部品に限定されず、他の部品（例えば筐体１０の後壁１０ｅ）と協働することで冷気の通路の少なくとも一部を規定する部品を含み得る。例えば、本実施形態の冷蔵用ダクト部品５１は、筐体１０の後壁１０ｅに取り付けられ、筐体１０の後壁１０ｅとの間にダクト空間Ｄ１を形成するカバーである。
【００２６】
冷蔵用ダクト部品５１は、冷気吹出口５１ａ，５１ｂおよび冷気戻り口５１ｃ，５１ｄを有する。冷気吹出口５１ａは、冷蔵室１１Ａに開口し、後述する冷蔵用冷却器６２により冷却された冷気を冷蔵室１１Ａに供給する。冷気吹出口５１ｂは、チルド室１１Ａａに開口し、後述する冷蔵用冷却器６２により冷却された冷気をチルド室１１Ａａに供給する。冷気戻り口５１ｃは、チルド室１１Ａａに開口し、チルド室１１Ａａを通過することで温められた冷気をダクト空間Ｄ１に向けて導く。冷気戻り口５１ｄは、野菜室１１Ｂに開口し、冷蔵室１１Ａや野菜室１１Ｂなどを通過することで温められた冷気をダクト空間Ｄ１に導く。冷蔵用ダクト部品５１については詳しく後述する。
【００２７】
冷凍用ダクト部品５２は、筐体１０内に設けられ、後壁１０ｅに沿って鉛直方向に延びている。冷凍用ダクト部品５２は、筐体１０の後壁１０ｅの近くに、冷気（空気）が流れる通路であるダクト空間Ｄ２を形成している。冷凍用ダクト部品５２は、冷気吹出口５２ａおよび冷気戻り口５２ｂを有する。冷気吹出口５２ａは、製氷室１１Ｃ、小冷凍室１１Ｄ、または主冷凍室１１Ｅに開口し、後述する冷凍用冷却器６４により冷却された冷気を、製氷室１１Ｃ、小冷凍室１１Ｄ、または主冷凍室１１Ｅに供給する。冷気戻り口５２ｂは、主冷凍室１１Ｅの下部に開口し、製氷室１１Ｃ、小冷凍室１１Ｄ、および主冷凍室１１Ｅのうち１つ以上を通過することで温められた冷気をダクト空間Ｄ２に導く。
【００２８】
冷却ユニット６０は、例えば、圧縮器６１、冷蔵用冷却器６２、冷蔵室ファン６３、冷凍用冷却器６４、および冷凍室ファン６５を含む。冷蔵用冷却器６２および冷蔵室ファン６３は、ダクト空間Ｄ１に配置されている。冷蔵用冷却器６２は、圧縮器６１により圧縮された冷媒が供給され、ダクト空間Ｄ１を流れる冷気を冷却する。冷蔵室ファン６３が駆動されると、冷蔵用冷却器６２により冷却された冷気が冷気吹出口５１ａ，５１ｂから冷蔵室１１Ａおよびチルド室１１Ａａに供給される。冷蔵室１１Ａまたはチルド室１１Ａａを通った冷気の一部は、野菜室１１Ｂに流入する。そして、冷蔵室１１Ａ、チルド室１１Ａａ、および野菜室１１Ｂのうち１つ以上で温められた冷気が冷気戻り口５１ｃ，５１ｄからダクト空間Ｄ１に戻る。
【００２９】
冷凍用冷却器６４および冷凍室ファン６５は、ダクト空間Ｄ２に配置されている。冷凍用冷却器６４は、圧縮器６１により圧縮された冷媒が供給され、ダクト空間Ｄ２を流れる冷気を冷却する。冷凍室ファン６５が駆動されると、冷凍用冷却器６４により冷却された冷気が冷気吹出口５２ａから冷凍室（製氷室１１Ｃ、小冷凍室１１Ｄ、主冷凍室１１Ｅ）に供給され、上記冷凍室で温められた空気が冷気戻り口５２ｂからダクト空間Ｄ２に戻る。
【００３０】
光照射ユニット７０は、筐体１０内に設けられている。本実施形態では、光照射ユニット７０は、野菜室１１Ｂの後方に配置され、野菜室１１Ｂの内部に紫外線を照射する。光照射ユニット７０については詳しく後述する。
【００３１】
制御装置８０は、回路基板と、回路基板に実装された電子部品とを有する。制御装置８０は、冷蔵庫１の全体を統括的に制御する。例えば、制御装置８０は、上述した圧縮器６１、冷蔵室ファン６３、および冷凍室ファン６５の動作などを制御する。また、制御装置８０は、光照射ユニット７０による紫外線の照射を制御する。本実施形態では、制御装置８０は、野菜室扉２０Ｂの開閉状態を検出する扉スイッチの検出結果に基づき、光照射ユニット７０を制御する。例えば、制御装置８０は、野菜室扉２０Ｂが開かれたことが検出された場合、光照射ユニット７０による紫外線の照射を停止させる。一方で、制御装置８０は、野菜室扉２０Ｂが閉じられたことが検出された場合、光照射ユニット７０による紫外線の照射を再開させる。
【００３２】
［２．野菜室の周辺構造の詳細］
次に、野菜室１１Ｂの周辺構造について詳しく説明する。
図３は、図１中に示された冷蔵庫１のＦ３−Ｆ３線に沿う斜視断面図である。なお図３では、冷蔵用冷却器６２および冷蔵室ファン６３の図示は省略されている。
【００３３】
［２．１  第１仕切部］
まず、第１仕切部１５について説明する。第１仕切部１５は、上述したように冷蔵室１１Ａおよびチルド室１１Ａａと、野菜室１１Ｂとの間に設けられ、冷蔵室１１Ａおよびチルド室１１Ａａと、野菜室１１Ｂとの間を仕切っている。第１仕切部１５は、比較的薄い板状に形成されている。第１仕切部１５は、冷蔵室１１Ａおよびチルド室１１Ａａの底壁を形成するとともに、野菜室１１Ｂの天井を形成している。第１仕切部１５は、前側から、第１部分１５ａ、第２部分１５ｂ、第３部分１５ｃ、第４部分１５ｄ、および第５部分１５ｅを含む。第１から第５の部分１５ａ，１５ｂ，１５ｃ，１５ｄ，１５ｅの各々は、冷蔵庫１の幅方向において野菜室１１Ｂの全幅に亘るように設けられている。
【００３４】
第１部分１５ａは、第１チルド室容器４１よりも前側に位置し、冷蔵室１１Ａの底壁の一部を形成している。第１部分１５ａは、水平方向に広がる壁部である。第２部分１５ｂは、第１部分１５ａの後端と隣接する。第２部分１５ｂは、第１チルド室容器４１の下方に位置し、チルド室１１Ａａの底壁の一部を形成している。第２部分１５ｂは、水平方向に対して傾斜した傾斜壁である。第２部分１５ｂは、第１部分１５ａの後端から後方に進むに従い下方に位置するように傾斜している（すなわち後ろ下がりに傾斜している）。
【００３５】
第３部分１５ｃは、第２部分１５ｂの後端と隣接している。第３部分１５ｃは、第１チルド室容器４１の下方に位置し、チルド室１１Ａａの底壁の一部を形成している。第３部分１５ｃは、第２部分１５ｂの後端から水平方向に広がる壁部である。すなわち、第３部分１５ｃは、第１部分１５ａおよび後述する第５部分１５ｄと比べて低い高さ位置に設けられている。例えば、第３部分１５ｃは、第１仕切部１５の最下部を形成している。
【００３６】
第４部分１５ｄは、第３部分１５ｃの後端と隣接している。第４部分１５ｄは、第１チルド室容器４１の下方に位置し、チルド室１１Ａａの底壁の一部を形成している。第４部分１５ｄは、水平方向に対して傾斜した傾斜部である。第４部分１５ｄは、第３部分１５ｃの後端から後方に進むに従い上方に位置するように傾斜している（すなわち後ろ上がりに傾斜している）。
【００３７】
第５部分１５ｅは、第４部分１５ｄの後端と隣接している。第５部分１５ｅは、第１チルド室容器４１の下方に位置し、チルド室１１Ａａの底壁の一部を形成している。第５部分１５ｅは、第４部分１５ｄの後端から水平方向に広がる部分を含む壁部である。第５部分１５ｅは、第１仕切部１５の後端部を形成している。本実施形態では、第５部分１５ｅ（すなわち、第１仕切部１５の後端部）は、第２野菜室容器４４の後端部４４ｂと比べて前側に位置する。
【００３８】
［２．２  冷蔵用ダクト部品］
次に、冷蔵用ダクト部品５１について説明する。
図４は、冷蔵用ダクト部品５１（以下では単に「ダクト部品５１」と称する）の一部を示す斜視図である。図４は、ダクト部品５１のなかで、チルド室１１Ａａおよび野菜室１１Ｂに露出する部分を抜き出して示している。ダクト部品５１は、例えば、第１前壁部９１、張出部９２、第２前壁部９３、左側壁部９４、右側壁部９５、および下壁９６を有する。
【００３９】
第１前壁部９１は、冷蔵庫１の前側に向いた壁部である。第１前壁部９１は、チルド室１１Ａａに露出し、チルド室１１Ａａの後壁部の一部を形成している（図５参照）。第１前壁部９１には、複数の冷気吹出口５１ｂが設けられている。冷気吹出口５１ｂは、例えば、第２チルド室容器４２の上辺よりも高い位置に配置されている（図５参照）。
【００４０】
張出部９２は、第１前壁部９１の下端から前側に張り出している。張出部９２は、冷蔵庫１の幅方向におけるダクト部品５１の全幅の大部分に亘り設けられている。張出部９２は、チルド室１１Ａａと野菜室１１Ｂとの間の高さ位置に対応して設けられている（図５参照）。本実施形態では、張出部９２は、第１仕切部１５の第５部分１５ｅと接続される。これにより、張出部９２は、第１仕切部１５と協働して、チルド室１１Ａａと野菜室１１Ｂとの間を仕切る仕切壁として機能する。本実施形態では、第１仕切部１５の第５部分１５ｅは、張出部９２の先端部９２ｅの上に載せられている（図５参照）。これにより、張出部９２は、第１仕切部１５の第５部分１５ｅを下方から支持する。
【００４１】
本実施形態では、張出部９２は、第１前壁部９１の下端から前側に進むに従い高さ位置が低くなるように傾斜している（すなわち、前下がりに傾斜している）。張出部９２には、複数の冷気戻り口５１ｃ（チルド室１１Ａａからの冷気の戻り口）が設けられている。複数の冷気戻り口５１ｃは、冷蔵庫１の幅方向に並べて設けられている。複数の冷気戻り口５１ｃの各々は、冷蔵庫１の前後方向に沿う長穴状である。張出部９２の上方に位置する第１チルド室容器４１の後端部には、第１チルド室容器４１の内部を流れた冷気を張出部９２の冷気戻り口５１ｃに向けて通す通気孔４１ｈが設けられている（図５参照）。
【００４２】
第２前壁部９３は、張出部９２の下方に設けられている。第２前壁部９３は、冷蔵庫１の前側に向いた壁部であり、ダクト部品５１の前面の少なくとも一部を形成している。第２前壁部９３は、野菜室１１Ｂに露出し、野菜室１１Ｂの後壁部の一部を形成している（図５参照）。第２前壁部９３は、冷蔵庫１の前後方向における張出部９２の途中部分９２ｍから下方に延びている。途中部分９２ｍは、張出部９２において冷気戻り口５１ｃの前端に隣接する部分である。第２前壁部９３は、「前壁」の一例である。第２前壁部９３については、光照射ユニット７０の説明と合わせて詳しく後述する。
【００４３】
左側壁部９４は、第１前壁部９１の左端および第２前壁部９３の左端から後方に向けて延びている。一方で、右側壁部９５は、第１前壁部９１の右端および第２前壁部９３の右端から後方に向けて延びている。左側壁部９４および右側壁部９５は、ダクト空間Ｄ１の左右の側方を塞いでいる。下壁９６は、第２前壁部９３の下端から後方に向けて延びている。下壁９６は、ダクト空間Ｄ１の下方を塞いでいる。本実施形態では、下壁９６には、複数の冷気戻り口５１ｄ（野菜室１１Ｂからの冷気の戻り口）が設けられている（図５参照）。
【００４４】
図５は、図２中に示された冷蔵庫１のＦ５線で囲まれた領域を示す断面図である。図中の矢印は、空気（冷気）の流れを示す。ダクト部品５１の内部には、断熱部材５５が設けられている。断熱部材５５は、例えば、ビーズ法ポリスチレンフォーム（ＥＰＳ：Expanded Poly-Styrene）のような発泡断熱材であり、高い断熱性を有する。断熱部材５５は、単位厚さ当たりの断熱性がダクト部品５１よりも良好な断熱部材である。
【００４５】
断熱部材５５は、第１前壁部９１の内面（後面）に沿って設けられている。断熱部材５５は、ダクト部品５１の内部において第１前壁部９１とダクト空間Ｄ１との間に位置し、ダクト空間Ｄ１の前面の一部を規定している。言い換えると、断熱部材５５は、第１前壁部９１と冷蔵用冷却器６２との間に位置する。断熱部材５５は、冷蔵用冷却器６２の前面に沿って、第１前壁部９１よりも下方に延びている。
【００４６】
本実施形態では、断熱部材５５は、張出部９２と冷蔵用冷却器６２との間、および第２前壁部９３の少なくとも一部と冷蔵用冷却器６２との間に位置する。第２前壁部９３は、断熱部材５５から離れて位置する。第２前壁部９３と断熱部材５５との間には、チルド室１１Ａａから冷気戻り口５１ｃに流入する空気（冷気）が下方に向けて流れる冷気通路Ａ１が形成されている。
【００４７】
冷気戻り口５１ｃからダクト部品５１の内部に流入した空気は、第２前壁部９３と断熱部材５５との間の冷気通路Ａ１を通り、野菜室１１Ｂの後方であって冷蔵用冷却器６２の下方に位置する空間Ａ２（以下では説明の便宜上「合流空間Ａ２」と称する）に導かれる。冷気戻り口５１ｃから合流空間Ａ２に流入した空気は、野菜室１１Ｂから冷気戻り口５１ｄを通じて合流空間Ａ２に流入した空気と合流し、合流空間Ａ２から冷蔵用冷却器６２に向けて流れる。
【００４８】
［３．光照射ユニット］
［３．１  光照射ユニットの構成］
次に、光照射ユニット７０の構成について詳しく説明する。
図６は、図５中に示された冷蔵庫１のＦ６線で囲まれた領域を示す断面図である。本実施形態では、光照射ユニット７０は、ダクト部品５１の内部（例えば、第２前壁部９３、左側壁部９４、右側壁部９５により３方向から囲まれる空間）に設けられている。すなわち、光照射ユニット７０は、ダクト部品５１の内部で冷気通路Ａ１に露出し、冷気戻り口５１ｃから合流空間Ａ２を経由して冷蔵用冷却器６２に向かう冷気（いわゆる戻り冷気）に晒される。言い換えると、冷気通路Ａ１は、光照射ユニット７０と断熱部材５５との間に形成される。本実施形態では、光照射ユニット７０は、光照射部７１と、ケース７２と、封止部材７３とを有する。
【００４９】
［３．１．１  光照射部］
光照射部７１は、回路基板１０１と、紫外線ＬＥＤ１０２とを含む。回路基板１０１は、第２前壁部９３の内面（後面）と並行に配置されている。回路基板１０１は、第２前壁部９３と向かい合う第１面１０１ａと、第１面１０１ａとは反対側に位置した第２面１０１１０１ｂとを有する。紫外線ＬＥＤ１０２は、回路基板１０１の第１面１０１ａに実装され、冷蔵庫１の前方に向けて紫外線を照射する。紫外線ＬＥＤ１０２は、「紫外線光源」の一例である。なお、紫外線光源は、紫外線ＬＥＤ１０２に限らず、紫外線ランプなどでもよい。
【００５０】
紫外線は、「ウイルスまたは菌を抑制する効果を有する光」の一例である。本明細書で「紫外線」とは、中心波長が１０ｎｍ〜４００ｎｍの範囲内にある電磁波を意味する。すなわち「紫外線」とは、中心波長が、ＵＶＡ（波長３２０ｎｍ〜４００ｎｍ）の電磁波でもよく、ＵＶＢ（波長２８０ｎｍ〜３２０ｎｍ）の電磁波でもよく、ＵＶＣ（波長１００ｎｍ〜２８０ｎｍ）の電磁波でもよい。また「紫外線」とは、中心波長が１０ｎｍ〜４００ｎｍの範囲内にあればよく、紫外線ＬＥＤ１０２から照射される一部の電磁波の波長が４００ｎｍ以上でもよい（すなわち可視光領域の波長でもよい）。紫外線ＬＥＤ１０２により照射される紫外線は、人間が見える光を含んでもよく、人間が見える光を含まなくてもよい。なお、「ウイルスまたは菌を抑制する効果を有する光」は、紫外線に限定されず、他の波長の光でもよい。
【００５１】
本実施形態では、紫外線ＬＥＤ１０２は、中心波長がＵＶＡの電磁波を照射する。このような波長の電磁波によれば、例えばＵＶＣの電磁波と比べて、例えばプラスチック製の第１および第２野菜室容器４３，４４の劣化を抑制しつつ、ウイルスまたは菌を抑制することができる。
【００５２】
図６に示すように、第２前壁部９３のなかで紫外線ＬＥＤ１０２に向かい合う部分には、紫外線を通す窓部（光透過部）１０３が設けられている。窓部１０３は、アクリルまたはガラスのような紫外線を通す光透過性部材で形成されている。紫外線ＬＥＤ１０２は、窓部１０３を通じて野菜室１１Ｂの内部に紫外線を照射する。これにより、野菜室１１Ｂの内部の少なくとも一部は、光照射部７１により照射される紫外線の照射範囲内にある。
【００５３】
本実施形態では、光照射部７１は、第２野菜室容器４４よりも後方である野菜室１１Ｂの奥部に設けられている。光照射部７１は、第２野菜室容器４４の少なくとも一部の上辺４４ｕ（例えば、第２野菜室容器４４の後端部４４ｂの上辺４４ｕ）よりも上方に配置されている。
【００５４】
詳しく述べると、第２野菜室容器４４は、上方が開放された箱状に形成されている。第２野菜室容器４４は、上述した前端部４４ａおよび後端部４４ｂに加え、左端部および右端部を有する。本実施形態では、光照射部７１は、第２野菜室容器４４の全ての端部の上辺４４ｕ（すなわち、前端部４４ａ、後端部４４ｂ、左端部、および右端部の各々の上辺４４ｕ）よりも上方に配置されている。本明細書で「光照射部が容器の上辺と比べて上方に位置する」とは、光照射部７１に含まれる紫外線ＬＥＤ１０２が容器の上辺と比べて上方に位置することを意味し、光照射部７１に含まれる回路基板１０１の一部が容器の上辺よりも下方に位置する場合も含み得る。
【００５５】
本実施形態では、光照射部７１は、第２野菜室容器４４よりも後方に配置され、水平方向に対して斜め下方に向けて紫外線を照射する。例えば、光照射部７１は、第２野菜室容器４４の内部に向けて紫外線を照射する。これにより、第２野菜室容器４４の内部の少なくとも一部は、光照射部７１により照射される紫外線の照射範囲内にある。
【００５６】
図７は、光照射部７１による紫外線の照射中心Ｃを示す図である。光照射部７１は、水平方向に対して比較的小さい角度の方向に紫外線を照射する。例えば、光照射部７１は、水平方向に対して４５度よりも小さい角度の方向に紫外線の照射中心Ｃ（すなわち照射中心に対応する光軸ＣＡ）が向くように水平方向に対して傾けて設けられている。本実施形態では、光照射部７１は、水平方向に対して２５度だけ傾いた方向に紫外線の照射中心Ｃが向くように傾けて設けられている。このように光照射部７１を傾けて設けることで、光照射部７１によって野菜室１１Ｂ内のより広い範囲に紫外線を照射することができる。
【００５７】
本実施形態では、光照射部７１による紫外線の照射中心Ｃは、第２野菜室容器４４が野菜室１１Ｂに収容された状態で、冷蔵庫１の前後方向における第２野菜室容器４４の底面の中心よりも前側の領域ＦＲに設定されている。
【００５８】
［３．１．２  ケース］
図６に戻り、ケース７２について説明する。ケース７２は、前側が開放された矩形の扁平箱状に形成されている。光照射部７１は、ケース７２の内部に収容される。ケース７２は、第２前壁部９３と当該ケース７２との間に封止部材７３を挟んで、第２前壁部９３の内面（後面）に取り付けられる。ケース７２が第２前壁部９３の内面に取り付けられることで、光照射部７１の周囲が封止される。これにより、光照射部７１の周りに冷気が流れることが抑制され、光照射部７１に結露が生じることが抑制される。ケース７２は、「カバー」の一例である。
【００５９】
詳しく述べると、ケース７２は、背壁部７２ａと、周壁部７２ｂと、押さえ部７２ｃとを有する。背壁部７２ａは、第２前壁部９３とは反対側から光照射部７１を覆う。周壁部７２ｂは、背壁部７２ａの周端部から第２前壁部９３の内面に向いて延びている。周壁部７２ｂは、光照射部７１の上下左右を囲む矩形状の環状（筒状）に形成されている。周壁部７２ｂは、光照射部７１とは別に、第２前壁部９３の内面に取り付けられる。これについては後述する。押さえ部７２ｃは、周壁部７２ｂの内周側に設けられている。押さえ部７２ｃは、封止部材７３に接するとともに、封止部材７３を第２前壁部９３の内面に向けて押さえる。背壁部７２ａは、「第１部分」の一例である。周壁部７２ｂは、「第２部分」の一例である。押さえ部７２ｃは、「第３部分」の一例である。ただし、周壁部７２ｂと押さえ部７２ｃは、一体に設けられてもよい。
【００６０】
図８は、図６中に示された光照射ユニット７０の矢印Ｆ８の方向から見た平面図である。
封止部材７３は、例えばソフトテープなどの弾性部材である。封止部材７３は、周壁部７２ｂの全周に沿って環状に形成されている。封止部材７３は、第２前壁部９３の内面にケース７２の周壁部７２ｂが取り付けられることで、第２前壁部９３の内面とケース７２の押さえ部７２ｃとの間に挟まれ、第２前壁部９３の内面とケース７２の周壁部７２ｂとの間を封止する。これにより、光照射部７１の周りに冷気が流れることがより確実に抑制される。
【００６１】
本実施形態では、ケース７２は、一般的なプラスチック部材である。ケース７２の単位厚さ当たりの断熱性は、断熱部材５５と比べて低い。ケース７２の背壁部７２ａおよび周壁部７２ｂの各々の厚さは、断熱部材５５の厚さと比べて薄い。ただし、ダクト部品５１内の冷気通路Ａ１を流れる冷気は、チルド室１１Ａａを流れることで温められた冷気であり、冷蔵用冷却器６２により冷却されたばかりの冷気と比べて温度が高い。このため、上述したようなケース７２によっても光照射部７１に結露が生じることが抑制することができる。また上述したようなケース７２であれば、比較的安価に製造することができ、ダクト部品５１の内部に設けてもダクト部品５１が大型化することを抑制することもできる。
【００６２】
［３．２  光照射ユニットの配置構造］
次に、図６に戻り、光照射ユニット７０の配置構造について説明する。本実施形態では、光照射ユニット７０の少なくとも一部（例えばケース７２の少なくとも一部）は、第１仕切部１５の最下部（例えば第３部分１５ｃ）よりも上方に配置されている。さらに言えば、光照射部７１の少なくとも一部（例えば回路基板１１０の少なくとも一部）は、第１仕切部１５の最下部（例えば第３部分１５ｃ）よりも上方に配置されている。すなわち、光照射部７１は、当該光照射部７１の少なくとも一部が第１仕切部１５の最下部よりも上方に配置された状態で、斜め下方に向けて紫外線を照射する。
【００６３】
言い換えると、本実施形態の光照射ユニット７０は、野菜室１１Ｂに紫外線を照射する紫外線ＬＥＤ１０２を実装する実装構造の一部を、チルド室１１Ａａの空間を利用して配置したものである。これにより、野菜室１１Ｂに紫外線を照射する紫外線ＬＥＤ１０２を設ける場合において、野菜室１１Ｂの内容積が小さくなることを抑制することができる。
【００６４】
本実施形態では、第２チルド室容器４２の後端部は、上方に向けて傾斜した傾斜部４１ｉを有する。傾斜部４１ｉは、後方に進むに従い上方に位置するように傾斜している（すなわち後ろ上がりに傾斜している）。光照射ユニット７０のケース７２の少なくとも一部は、鉛直方向で、第２チルド室容器４２の後端部の傾斜部４１ｉと重なる位置に配置されている。この観点でも、本実施形態の光照射ユニット７０は、野菜室１１Ｂに紫外線を照射する紫外線ＬＥＤ１０２を実装する実装構造の一部を、チルド室１１Ａａの空間を利用して配置している。これにより、野菜室１１Ｂに紫外線を照射する紫外線ＬＥＤ１０２を設ける場合において、野菜室１１Ｂの内容積が小さくなることを抑制することができる。
【００６５】
本実施形態では、光照射部７１は、ダクト部品５１の内部において、鉛直方向で冷気戻り口５１ｃの少なくとも一部と重なる位置に配置されている。本実施形態では、光照射部７１は、鉛直方向で複数の冷気戻り口５１ｃと重なる。
【００６６】
本実施形態では、ダクト部品５１の少なくとも一部は、第１仕切部１５の最下部（例えば第３部分１５ｃ）よりも上方に延びている。そして、光照射部７１の少なくとも一部は、ダクト部品５１の内部において第１仕切部１５の最下部よりも上方に配置され、水平方向に対して斜め下方に向けて紫外線を照射する。
【００６７】
［３．３  光照射ユニットの取り付け構造］
図９は、光照射ユニット７０を一部分解して示す断面図である。ここではまず、ダクト部品５１の第２前壁部９３について、詳しく説明する。第２前壁部９３は、第１部分９３ａと、第２部分９３ｂとを有する。第１部分９３ａは、冷蔵庫１の前後方向における張出部９２の途中部分９２ｍに接続され、張出部９２の途中部分９２ｍから下方に延びている。第１部分９３ａは、鉛直方向に対する光照射部７１の傾き角度と同じ傾き角度で、鉛直方向に対して傾斜している。すなわち、鉛直方向に対して第１部分９３ａが傾いて設けられることで、光照射部７１が傾いて設けられる。第２部分９３ｂは、第１部分９３ａの下端から下方に延びている。第２部分９３ｂは、ダクト部品５１の下壁９６に繋がっている。
【００６８】
本実施形態では、第２前壁部９３の第１部分９３ａには、第１固定部９３ｃと、第２固定部９３ｄとが設けられている。第１固定部９３ｃは、例えば、第１部分９３ａの内面に設けられた爪部である。第１固定部９３ｃは、第２前壁部９３の内面から水平方向に沿って後方に突出している。光照射部７１の回路基板１０１は、第１固定部９３ｃに係合して第２前壁部９３に固定される。すなわち、光照射部７１は、ケース７２を介して第２前壁部９３に固定されるわけではなく、第２前壁部９３に直接に固定される。
【００６９】
第２固定部９３ｄは、例えば、第２前壁部９３の第１部分９３ａに設けられた係合穴である。本実施形態では、ケース７２の周壁部７２ｂは、係合穴である第２固定部９３ｄに係合する爪部７２ｄを有する。ケース７２は、周壁部７２ｂに設けられた爪部７２ｄが第２前壁部９３の第１部分９３ａに係合することで、第２前壁部９３に固定される。すなわち、ケース７２は、光照射部７１を伴わずに、第２前壁部９３に直接に固定される。言い換えると、光照射部７１とケース７２は、直接には互いに接しておらず、それぞれ独立して第２前壁部９３に固定されている。
【００７０】
［３．４  紫外線に対する遮蔽部］
次に、図６に戻り、紫外線に対して設けられた遮蔽部１１１について説明する。本実施形態では、冷蔵庫１には、筐体１０内で光照射部７１による紫外線の照射範囲ＳＲの一部を遮蔽する遮蔽部１１１が設けられている。
【００７１】
詳しく述べると、紫外線ＬＥＤ１０２は、紫外線の照射範囲として上下および左右に１８０度近い照射範囲を有する。このため、紫外線ＬＥＤ１０２から窓部１０３を通じて野菜室１１Ｂの内部に照射される紫外線は、比較的広い方位に亘って照射される。遮蔽部１１１は、例えば、紫外線がユーザの目に入りにくいようにするため、または別の目的で、紫外線ＬＥＤ１０２から野菜室１１Ｂの内部に照射される紫外線の一部を遮蔽する。
【００７２】
本実施形態では、ダクト部品５１の張出部９２は、第２前壁部９３が接続された途中部分９２ｍよりも前方に位置した前方部分９２ａと、途中部分９２ｍよりも後方に位置した後方部分９２ｂとを含む。そして本実施形態では、ダクト部品５１の張出部９２の前方部分９２ａと、第１仕切部１５の第３から第５部分１５ｃ，１５ｄ，１５ｅとにより、紫外線の照射範囲ＳＲの上側部分の少なくとも一部を遮蔽する遮蔽部１１１が形成されている。本明細書で「上側部分」とは、紫外線の照射中心Ｃに対応する仮想的な光軸ＣＡに対して上側に位置する照射範囲を意味する。図６に示すように、遮蔽部１１１は、紫外線の照射範囲ＳＲの上側部分の一部を遮蔽することで、紫外線の照射範囲ＳＲを紫外線の照射範囲ＳＲ´に限定する。その結果、照射範囲ＳＲ´では、光軸ＣＡに対する上側の照射範囲（照射角度ＳＲａ´）と下側の照射範囲（照射角度ＳＲｂ´）とが異なる。
【００７３】
本実施形態では、遮蔽部１１１は、ダクト部品５１の第２前壁部９３（すなわち窓部１０３）から離れた位置に設けられている。例えば、遮蔽部１１１は、第２野菜室容器４４の上方に設けられている。
【００７４】
本実施形態では、遮蔽部１１１の最下部（例えば、第１仕切部１５の第３部分１５ｃ）は、光照射ユニット７０の一部（例えばケース７２の一部）よりも下方に位置する。さらに言えば、遮蔽部１１１の最下部は、光照射部７１の回路基板１０１の一部よりも下方に位置する。
【００７５】
図１０は、紫外線の限定後の照射範囲ＳＲ´を示す断面図である。図１０は、野菜室扉２０Ｂを前方に最大限に引き出された状態を示す。本実施形態の遮蔽部１１１は、野菜室１１Ｂに対して野菜室扉２０Ｂが最大限に引き出された状態で、野菜室扉２０Ｂの扉本体２１に対する紫外線の照射範囲ＳＲ´の上端ＳＲｅ´が野菜室扉２０Ｂの扉本体２１の上端２１ｅよりも低くなるように、紫外線の照射範囲ＳＲの上側部分を遮蔽する。このためユーザは、野菜室扉２０Ｂの扉本体２１の上端２１ｅよりも顔を下にしてのぞき込まない限り、紫外線が直接に目に入る可能性が小さい。
【００７６】
［４．利点］
本実施形態では、光照射部７１は、野菜室１１Ｂに収容される最上段の容器である第２野菜室容器４４の少なくとも一部の上辺よりも上方に配置され、野菜室１１Ｂ内に紫外線を照射する。このような構成によれば、野菜室１１Ｂに収容される１つ以上の容器によってあまり邪魔されずに、野菜室１１Ｂの内部に効率的に紫外線を照射することができる。これにより、ウイルスまたは菌の抑制機能の向上を図ることができる。
【００７７】
ここで、野菜室１１Ｂの天井部や、野菜室１１Ｂ内の後壁部に光照射部７１を搭載すると、野菜室１１Ｂに収容される容器（例えば、第２野菜室容器４４）の内部において、光照射部７１に近い部位と、光照射部７１から遠い部位とで、紫外線の照度のばらつきが大きくなる。そこで、本実施形態では、光照射部７１は、第２野菜室容器４４よりも後方に配置され、水平方向に対して斜め下方に傾いて紫外線を照射する。このような構成によれば、野菜室１１Ｂに収容される容器（例えば、第２野菜室容器４４）の内部の広範囲に紫外線を照射することができ、照度のばらつきを小さくすることができる。
【００７８】
本実施形態では、光照射部７１は、水平方向に対して４５度よりも小さい角度の方向に光の照射中心Ｃが向くように水平方向に対して傾けて設けられている。このような構成によれば、野菜室１１Ｂに収容される容器（例えば、第２野菜室容器４４）の内部に対してより広範囲に紫外線を照射することができる。
【００７９】
本実施形態では、光照射部７１による紫外線の照射中心Ｃは、第２野菜室容器４４が野菜室１１Ｂに収容された状態で、冷蔵庫１の前後方向における第２野菜室容器４４の底面の中心よりも前側に設定されている。このような構成によれば、中心よりも前側の領域に食材や容器などの収容物が置かれやすい第２野菜室容器４４において、収容物に対してより効率的に紫外線を照射することができる。
【００８０】
本実施形態では、光照射部７１の少なくとも一部は、第１仕切部１５の最下部よりも上方に配置されている。すなわち、野菜室１１Ｂに紫外線を照射する光照射部７１の少なくとも一部が、チルド室１１Ａａの空間（例えばデッドスペース）を利用して配置されている。このような構成によれば、光照射部７１を設けることによる野菜室１１Ｂの内容積の減少を抑制することができる。
【００８１】
本実施形態では、第１チルド室容器４１の後端部は、上方に向けて傾斜した傾斜部４１ｉを有する。光照射ユニット７０のケース７２の少なくとも一部は、鉛直方向で、第１チルド室容器４１と傾斜部４１ｉと重なる位置に配置されている。すなわち、野菜室１１Ｂに紫外線を照射する光照射部７１の少なくとも一部が、チルド室容器４１の後端部の傾斜部４１ｉによるデッドスペースを利用して配置されている。このような構成によれば、光照射部７１を設けることによる野菜室１１Ｂの内容積の減少を抑制することができる。
【００８２】
本実施形態では、冷蔵庫１は、筐体１０内で光照射部７１による紫外線の照射範囲ＳＲの一部を遮蔽する遮蔽部１１１を有する。このような構成によれば、紫外線がユーザの目に入る可能性をより確実に小さくすることができる。これにより、ユーザに安心感を提供することができる。
【００８３】
本実施形態では、遮蔽部１１１は、紫外線の照射範囲ＳＲの上側部分の少なくとも一部を遮蔽する。このような構成によれば、正面上方への紫外線の照射を抑制することができる。
【００８４】
本実施形態では、遮蔽部１１１は、野菜室１１Ｂに対して野菜室扉２０Ｂが最大限に引き出された状態で、野菜室扉２０Ｂの扉本体２１に対する紫外線の照射範囲ＳＲ´の上端ＳＲｅ´が野菜室扉２０Ｂの扉本体２１の上端２１ｅよりも低くなるように、紫外線の照射範囲ＳＲの上側部分の少なくとも一部を遮蔽する。このような構成によれば、ユーザは、野菜室扉２０Ｂの扉本体２１の上端２１ｅよりも顔を下にしてのぞき込まない限り、紫外線が直接に目に入る可能性が小さい。これにより、ユーザに対してより高い安心感を提供することができる。
【００８５】
本実施形態では、遮蔽部１１１は、第２野菜室容器４４の上方に設けられている。このような構成によれば、第２野菜室容器４４の上方に存在するデッドスペースを利用して遮蔽部１１１が設けられている。これにより、野菜室１１Ｂの内容積の減少を抑制することができる。
【００８６】
野菜室１１Ｂに紫外線を照射する光照射部７１を搭載する場合、光照射部７１を保持する構造物などにより、第１および第２野菜室容器４３，４４の容量や、野菜室１１Ｂの内容積が減少してしまうことが考えられる。しかしながら本実施形態では、光照射部７１は、ダクト部品５１の内部に設けられている。このような構成によれば、第１および第２野菜室容器４３，４４の容量や、野菜室１１Ｂの内容積の減少を抑制しつつ、野菜室１１Ｂに紫外線を照射する光照射部７１を搭載することができる。
【００８７】
本実施形態では、ダクト部品５１は、チルド室１１Ａａで温められた冷気を冷蔵用冷却器６２に向けて導くダクト部品である。このような構成によれば、野菜室１１Ｂに対して紫外線を照射する光照射部７１を、別の貯蔵室であるチルド室１１Ａａからの冷気のリターンダクトを形成するダクト部品を利用して設けることができる。これにより、野菜室１１Ｂの内容積の減少をさらに抑制することができる。
【００８８】
本実施形態では、ダクト部品５１は、チルド室１１Ａａに開口した冷気戻り口５１ｃを有する。光照射部７１は、ダクト部品５１の内部において鉛直方向で冷気戻り口５１ｃの少なくとも一部と重なる位置に配置されている。一般的に、ダクト部品５１の内部で冷気戻り口５１ｃと重なる領域には部品は実装されない。しかしながら本実施形態では、このような領域を有効活用して光照射部７１を設けている。このような構成によれば、野菜室１１Ｂの内容積の減少をさらに抑制することができる。
【００８９】
本実施形態では、ダクト部品５１の内面に取り付けられ、ダクト部品５１の内部で光照射部７１を覆うケース７２が設けられている。このような構成によれば、ダクト部品５１を流れる冷気が発熱部品である光照射部７１の周囲に流入しにくく、光照射部７１で結露が生じることを抑制することができる。
【００９０】
本実施形態では、ダクト部品５１は、ダクト部品５１の前面の少なくとも一部を形成し紫外線を通す窓部１０３が設けられた第２前壁部９３と、第２前壁部９３に設けられて光照射部７１を固定する第１固定部９３ｃとを有する。ケース７２は、第２前壁部９３とは反対側から光照射部７１を覆う背壁部７２ａと、光照射部７１とは別に第２前壁部９３に取り付けられる周壁部７２ｂとを有する。このような構成によれば、光照射部７１は、冷気に晒されて低い温度になるケース７２に保持されていない。このため、光照射部７１の温度が下がりにくく、光照射部７１で結露が生じることをさらに抑制することができる。
【００９１】
本実施形態では、第２前壁部９３の内面とケース７２との間に挟まれ、第２前壁部９３の内面とケース７２との間を封止する封止部材７３が設けられている。このような構成によれば、光照射部７１の周囲に冷気が流入することをより確実に抑制することができる。これにより、光照射部７１で結露が生じることをさらに抑制することができる。
【００９２】
本実施形態では、チルド室１１Ａａを通ることで温められた冷気が流れる冷気通路Ａ１は、ダクト部品５１の内部において光照射部７１と冷蔵用冷却器６２との間に形成されている。このような構成によれば、冷気通路Ａ１に比較的温かい冷気が流れるため、冷蔵用冷却器６２の冷たい温度が伝熱により光照射部７１に伝わることを抑制することができる。これにより、光照射部７１で結露が生じることをさらに抑制することができる。
【００９３】
本実施形態では、光照射部７１と冷蔵用冷却器６２との間に設けられた断熱部材５５をさらに備える。冷気通路Ａ１は、光照射部７１と断熱部材５５との間に形成されている。このような構成によれば、光照射部７１の周り（光照射ユニット７０の周り）で冷気が流動するので、光照射部７１の温度が過度に下がりにくい。これにより、光照射部７１で結露が生じることをさらに抑制することができる。
【００９４】
以下、第１実施形態のいくつかの変形例について説明する。なお各変形例で説明する以外の構成については、第１実施形態の構成と同様である。
【００９５】
（第１実施形態の第１変形例）
図１１は、第１実施形態の第１変形例の冷蔵庫１を示す断面図である。本変形例では、遮蔽部１１１の少なくとも一部は、光照射部７１の紫外線ＬＥＤ１０２よりも下方に位置する。第１変形例では、ダクト部品５１の張出部９２の前方部分９２ａの一部、および第１仕切部１５の第４部分１５ｄの一部は、光照射部７１の紫外線ＬＥＤ１０２よりも下方に位置する。
【００９６】
このような構成によれば、紫外線の限定後の照射範囲ＳＲ´を、水平方向よりも下向きの方向に限定することができる。これにより、野菜室１１Ｂの外部に照射される紫外線の量を少なくすることができる。また、第１実施形態と比べて、ユーザが顔をより低くして野菜室１１Ｂの内部をのぞき込まない限り、紫外線が直接に目に入る可能性が小さい。これにより、ユーザにさらに高い安心感を提供することができる。
【００９７】
（第１実施形態の第２変形例）
図１２は、第１実施形態の第２変形例の冷蔵庫１を示す断面図である。本変形例では、ダクト部品５１の張出部９２の前方部分９２ａの一部は、第１仕切部１５の最下部（例えば第３部分１５ｃ）よりも下方に位置する。例えば、本変形例では、ダクト部品５１の張出部９２の前方部分９２ａは、前方部分９２ａから下方に向けて突出した壁部９２ｗを含む。壁部９２ｗは、第１仕切部１５の最下部よりも下方まで突出している。本変形例では、ダクト部品５１の張出部９２の少なくとも一部（例えば壁部９２ｗの下端部）は、光照射部７１の紫外線ＬＥＤ１０２よりも下方に位置する。
【００９８】
このような構成によれば、紫外線の限定後の照射範囲ＳＲ´を、より下向きの方向に限定することができる。これにより、紫外線が直接にユーザの目に入る可能性をより小さくすることができる。
【００９９】
（第１実施形態の第３変形例）
図１３は、第１実施形態の第３変形例の冷蔵庫１を示す断面図である。本変形例では、ダクト部品５１の張出部９２は、前方部分９２ａに相当する部分を有さずに、後方部分９２ｂに相当する部分により構成されている。本変形例では、第１仕切部１５の第５部分１５ｅは、ダクト部品５１において第２前壁部９３の近傍まで延びている。本変形例では、第１仕切部１５によって遮蔽部１１１が構成されている。このような構成によっても、第１実施形態と同様の効果を奏することができる。
【０１００】
（第１実施形態の第４変形例）
図１４は、第１実施形態の第４変形例の冷蔵庫１を示す断面図である。本変形例では、遮蔽部１１１は、光照射部７１から照射された紫外線の少なくとも一部を野菜室１１Ｂに収容される容器（例えば第２野菜室容器４４）の内部に向けて反射させる反射部材１１５を有する。
【０１０１】
詳しく述べると、反射部材１１５は、例えば、ダクト部品５１の張出部９２の前方部分９２ａの下面（または第１仕切部１５の第４部分１５ｄ）の下面に取り付けられている。反射部材１１５は、ガラスフィルムまたはアルミ箔のような紫外線の少なくとも一部を反射可能な素材で形成されている。本実施形態では、反射部材１１５は、例えば、前方に進むに従い下方に位置するように傾斜して（すなわち前下がりに傾斜して）配置されており、光照射部７１から反射部材１１５に届く紫外線の少なくとも一部を、第２野菜室容器４４の後部領域（奥部領域）に向けて反射させる。
【０１０２】
このような構成によれば、紫外線が照射されにくい第２野菜室容器４４の後部領域（奥部領域）にも紫外線を照射することができる。これにより、ウイルスまたは菌の抑制機能のさらなる向上を図ることができる。
【０１０３】
（第２実施形態）
次に、第２実施形態について説明する。第２実施形態は、ダクト部品５１の内部に代えて／加えて、光照射部７１が野菜室１１Ｂの天井部Ｓ３に設けられた点で、第１実施形態とは異なる。なお以下に説明する以外の構成は、第１実施形態の構成と同様である。
【０１０４】
図１５は、第２実施形態の冷蔵庫１を示す断面図である。第１仕切部１５は、野菜室１１Ｂの天井を形成する天井部Ｓ３を含む。本実施形態では、光照射部７１は、例えば、複数の光源モジュール１２１，１２２，１２３を有する。複数の光源モジュール１２１，１２２，１２３の各々は、回路基板１０１および紫外線ＬＥＤ１０２を含む。複数の光源モジュール１２１，１２２，１２３は、天井部Ｓ３に設けられている。例えば、複数の光源モジュール１２１，１２２，１２３は、冷蔵庫１の前後方向で互いに異なる位置に配置されている。本実施形態では、複数の光源モジュール１２１，１２２，１２３の各々は、第２野菜室容器４４の少なくとも一部の上辺４４ｕよりも上部に位置する。
【０１０５】
本実施形態では、光源モジュール１２１は、野菜室１１Ｂに収容された第２野菜室容器４４の前端部４４ａよりも前側に配置されている。すなわち、光源モジュール１２１は、第１野菜室容器４３の収容領域ＣＲの上方に配置されている。光源モジュール１２１は、天井部Ｓ３から第１野菜室容器４３の収容領域ＣＲに向けて紫外線を照射する。これにより、収容領域ＣＲの少なくとも一部は、紫外線の照射範囲内にある。また本実施形態では、第２野菜室容器４４の前端部４４ａに設けられた取手Ｈの少なくとも一部は、光源モジュール１２１による紫外線の照射範囲内にある。
【０１０６】
光源モジュール１２２は、例えば、第１仕切部１５の第１部分１５ａに設けられている。一方で、光源モジュール１２３は、例えば、第１仕切部１５の第５部分１５ｅに設けられている。言い換えると、光源モジュール１２２，１２３は、第１仕切部１５の最下部である第３部分１５ｃと、傾斜部である第２および第４部分１５ｂ，１５ｄとを外れた領域に設けられている。光源モジュール１２２，１２３は、天井部Ｓ３から第２野菜室容器４４の内部に向けて紫外線を照射する。
【０１０７】
このような構成によれば、野菜室１１Ｂの内部に紫外線を照射することができる。これにより、ウイルスまたは菌の抑制機能の向上を図ることができる。
【０１０８】
以下、第２実施形態のいくつかの変形例について説明する。なお各変形例で説明する以外の構成については、第２実施形態の構成と同様である。
【０１０９】
（第２実施形態の第１変形例）
図１６は、第２実施形態の第１変形例の冷蔵庫１を示す断面図である。本変形例では、光源モジュール１２１，１２２の各々は、鉛直方向に対して後方に傾けて設けられ（すなわち、野菜室１１Ｂの奥側に向かう方向に傾けて設けられ）、鉛直方向に対して後方に向けて紫外線を照射する。このような構成によれば、光源モジュール１２１，１２２からの紫外線は、冷蔵庫１の前側（ユーザ側）には照射されにくくなる。これにより、紫外線がユーザの目に入る可能性をより確実に小さくすることができ、ユーザに安心感を提供することができる。
【０１１０】
（第２実施形態の第２変形例）
図１７は、第２実施形態の第２変形例の冷蔵庫１を示す断面図である。本変形例では、光源モジュール１２１，１２２の各々は、第１変形例と同様に、鉛直方向に対して後方に傾いて設けられ、鉛直方向に対して後方に向けて紫外線を照射する。本変形例では、光源モジュール１２３は、鉛直方向に対して前方に傾いて設けられ、鉛直方向に対して前方に向けて紫外線を照射する。このような構成によれば、野菜室１１Ｂの内部により効率的に紫外線を照射することができる。
【０１１１】
（第３実施形態）
次に、第３実施形態について説明する。第３実施形態は、ダクト部品５１の内部に代えて／加えて、光照射部７１が野菜室１１Ｂの左側壁部Ｓ１または右側壁部Ｓ２に設けられた点で、第１実施形態とは異なる。なお以下に説明する以外の構成は、第１実施形態の構成と同様である。
【０１１２】
図１８は、第３実施形態の冷蔵庫１を示す断面図である。図１９は、図１８中に示された冷蔵庫１のＦ１９−Ｆ１９線に沿う断面図である。本実施形態では、光照射部７１は、例えば、複数の光源モジュール１３１，１３２，１３３を有する。複数の光源モジュール１３１，１３２，１３３の各々は、回路基板１０１および紫外線ＬＥＤ１０２を含む。複数の光源モジュール１３１，１３２，１３３は、左側壁部Ｓ１または右側壁部Ｓ２に設けられている。例えば、の光源モジュール１３１，１３２，１３３は、冷蔵庫１の前後方向で互いに異なる位置に配置されている。本実施形態では、光源モジュール１３１，１３２，１３３の各々は、第２野菜室容器４４の少なくとも一部の上辺よりも上部に位置する。
【０１１３】
本実施形態では、光源モジュール１３１は、野菜室１１Ｂに収容された第２野菜室容器４４の前端部４４ａよりも前側に配置されている。すなわち、光源モジュール１３１は、第１野菜室容器４３の収容領域ＣＲに対応した位置に配置されている。光源モジュール１３１は、左側壁部Ｓ１または右側壁部Ｓ２から第１野菜室容器４３の収容領域ＣＲに向けて紫外線を照射する。
【０１１４】
光源モジュール１３２は、例えば、第１仕切部１５の第１部分１５ａに対応する位置に設けられている。一方で、光源モジュール１３３は、例えば、第１仕切部１５の第５部分１５ｅに対応する位置に設けられている。言い換えると、第２および第３光源モジュール１３２，１３３は、第１仕切部１５の最下部である第３部分１５ｃと、傾斜部である第２および第４部分１５ｂ，１５ｄとは異なる領域に対応する位置に設けられている。第２および第３光源モジュール１３２，１３３は、左側壁部Ｓ１または右側壁部Ｓから第２野菜室容器４４の内部に向けて紫外線を照射する。
【０１１５】
このような構成によれば、野菜室１１Ｂの内部に紫外線を照射することができる。これにより、ウイルスまたは菌の抑制機能の向上を図ることができる。
【０１１６】
（第３実施形態の変形例）
図２０は、第３実施形態の変形例の冷蔵庫１を示す断面図である。なお本変形例で説明する以外の構成については、第３実施形態の構成と同様である。本変形例では、光源モジュール１３１，１３２の各々は、冷蔵庫１の幅方向に対して後方に傾いて設けられ、冷蔵庫１の幅方向に対して後方に向けて紫外線を照射する。このような構成によれば、光源モジュール１３１，１３２からの紫外線は、冷蔵庫１の前側（ユーザ側）には照射されにくくなる。これにより、紫外線がユーザの目に入る可能性をより確実に小さくすることができ、ユーザに安心感を提供することができる。
【０１１７】
なお、第３実施形態の第３光源モジュール１３３は、第２実施形態の第２変形例の光源モジュール１２３と同様に、冷蔵庫１の幅方向に対して前方に傾いて設けられ、冷蔵庫１の幅方向に対して前方に向けて紫外線を照射してもよい。
【０１１８】
以上、いくつかの実施形態および変形例について説明したが、実施形態および変形例は、上述した例に限定されない。上述した実施形態は、「第２貯蔵室」がチルド室１１Ａａである例である。ただし、「第２貯蔵室」は、「特別貯蔵室」に限定されず、冷蔵室１１Ａでもよい。上述した実施形態では、野菜室１１Ｂの天井部Ｓ３は、仕切部１５により構成されている。ただし、野菜室１１Ｂの天井部Ｓ３は、筐体１０によって構成されてもよい。
【０１１９】
１つの観点によれば、第３実施形態において、左側壁部Ｓ１および右側壁部Ｓ２に設けられる光源モジュール１３１，１３２，１３３は、貯蔵室に収容される容器の上辺よりも上方に配置されることに限定されず、貯蔵室に収容される容器の上辺よりも下方に配置されてもよい。例えば、第２野菜室容器４４の前端部４４ａの取手Ｈが、ユーザが手を下から入れるタイプの取手Ｈ（上側に凹む形状を有した取手Ｈ）である場合、光源モジュール１３１は、取手Ｈよりも下方に設けられ、取手Ｈの内部に向けて紫外線を照射してもよい。
【０１２０】
以上説明した少なくともひとつの実施形態によれば、冷蔵庫は、貯蔵室に収容される最上段の容器の少なくとも一部の上辺よりも上方に配置され、貯蔵室内にウイルスまたは菌を抑制する効果を有する光を照射する。このような構成によれば、ウイルスまたは菌の抑制機能の向上を図ることができる冷蔵庫を提供することができる。
【０１２１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２２】
１…冷蔵庫、１０…筐体、１１Ａａ…チルド室（第２貯蔵室）、１１Ｂ…野菜室（貯蔵室、第１貯蔵室）、２０Ｂ…野菜室扉、２１…扉本体、４３…第１野菜室容器（第１容器）、４４…第２野菜室容器（第２用域）、５１…ダクト部品、７０…光照射ユニット、７１…光照射部、７２…ケース（カバー）、１１１…遮蔽部、Ｈ…取手。
【要約】
【課題】ウイルスまたは菌の抑制機能の向上を図ることができる冷蔵庫を提供することである。
【解決手段】実施形態の冷蔵庫は、筐体と、少なくとも１つの容器と、光照射部とを持つ。前記筐体は、野菜室として使用可能な貯蔵室を有する。前記少なくとも１つの容器は、前記貯蔵室内に収容される。前記光照射部は、前記少なくとも１つの容器のうち最上段の容器の少なくとも一部の上辺よりも上方に配置され、前記貯蔵室内にウイルスまたは菌を抑制する効果を有する光を照射する。
【選択図】図５【図１】
0006977135.tif 000002
【図２】
0006977135.tif 000003
【図３】
0006977135.tif 000004
【図４】
0006977135.tif 000005
【図５】
0006977135.tif 000006
【図６】
0006977135.tif 000007
【図７】
0006977135.tif 000008
【図８】
0006977135.tif 000009
【図９】
0006977135.tif 000010
【図１０】
0006977135.tif 000011
【図１１】
0006977135.tif 000012
【図１２】
0006977135.tif 000013
【図１３】
0006977135.tif 000014
【図１４】
0006977135.tif 000015
【図１５】
0006977135.tif 000016
【図１６】
0006977135.tif 000017
【図１７】
0006977135.tif 000018
【図１８】
0006977135.tif 000019
【図１９】
0006977135.tif 000020
【図２０】
0006977135.tif 000021